(57)【要約】【課題】分流器の上流側の圧力損失を抑制しつつ熱交換器の熱交換効率を確保する。【解決手段】熱交換器（23）は、上下に平行に並んだ複数の多穴扁平管（31）によって構成された扁平管列（50）と、フィン（32）と、補助熱交換部（39a）と、分流器（150）とを備えている。補助熱交換部（39a）は、補助伝熱管（33）を有して扁平管列（50）の下方に配置される。補助伝熱管（33）の流路断面積は、多穴扁平管（31）の流路断面積よりも広くなっている。蒸発器として機能する場合には、補助熱交換部（39a）の補助伝熱管（33）から流出した冷媒が分流器（150）で分流して扁平管列（50）を構成する複数の多穴扁平管（31）に流入する。【選択図】図５
2015055415.tif 000002
【特許請求の範囲】
【請求項１】
上下に平行に並んだ複数の多穴扁平管（31）によって構成された扁平管列（50）と、該多穴扁平管（31）に接合されたフィン（32）とを備え、該多穴扁平管（31）を流れる冷媒を空気と熱交換させる熱交換器であって、
補助伝熱管（33）を有して上記扁平管列（50）の下方に配置され、該補助伝熱管（33）を流れる冷媒を空気と熱交換させる補助熱交換部（39a）と、
上記扁平管列（50）を構成する複数の多穴扁平管（31）の端部と上記補助熱交換部（39a）の補助伝熱管（33）の端部との間に接続された分流器（150）とを備え、
上記補助伝熱管（33）の流路断面積は、上記扁平管列（50）を構成する多穴扁平管（31）の流路断面積よりも広く、
蒸発器として機能する場合には、上記補助熱交換部（39a）の補助伝熱管（33）から流出した冷媒が上記分流器（150）で分流して上記扁平管列（50）を構成する複数の多穴扁平管（31）に流入する
ことを特徴とする熱交換器。
【請求項２】
請求項１において、
上記補助伝熱管（33）は、上記扁平管列（50）を構成する多穴扁平管（31）の流路断面積よりも広い流路断面積を有する補助多穴扁平管（34）によって構成されている
ことを特徴とする熱交換器。
【請求項３】
請求項１において、
上記補助伝熱管（33）は、上記扁平管列（50）を構成する多穴扁平管（31）の流路断面積よりも広い流路断面積を有する補助円管（200）によって構成されている
ことを特徴とする熱交換器。
【発明の詳細な説明】
【技術分野】
【０００１】
この発明は、扁平管とフィンを有して冷媒と空気を熱交換させる熱交換器に関する。
【背景技術】
【０００２】
従来より、扁平管とフィンを有して扁平管を流れる冷媒を空気と熱交換させる熱交換器が知られている。特許文献１（図３を参照）には、配列された扁平管からなる管列を一つ有する一列構造の熱交換器が開示されている。また、特許文献１に開示された熱交換器では、複数の扁平管の両端部にヘッダ集合管が接続され、一方のヘッダ集合管の内部に分流器が形成されている。そして、一方のヘッダ集合管へ流入した冷媒は、そのヘッダ集合管の内部に形成された分流器を通過して複数の扁平管へ分かれて流れ込む。
【先行技術文献】
【特許文献】
【０００３】
【特許文献１】特開２０１３−１３７１９３号公報
【発明の概要】
【発明が解決しようとする課題】
【０００４】
ところで、上記のような熱交換器を室外熱交換器として利用した場合、暖房運転時に外気温度が低下すると、蒸発器として動作している室外熱交換器において蒸発温度が低下して室外熱交換器に着霜が発生するおそれがある。室外熱交換器に着霜が発生すると、室外熱交換器の蒸発能力が低下してしまう。なお、このような着霜は、室外熱交換器の最下部において発生しやすい。
【０００５】
このような熱交換器の着霜を防止する手法として、上記のような熱交換器の最下部に位置する扁平管を補助加熱用の伝熱管として利用することが考えられる。すなわち、熱交換器が蒸発器として機能している場合に、熱交換器の最下部に位置する扁平管に、分流器を通過する前の冷媒（比較的高温の冷媒）を流通させることにより、熱交換器の最下部を加熱することができ、その結果、着霜の発生を防止することができる。
【０００６】
しかしながら、熱交換器において補助加熱用の伝熱管として利用される扁平管の本数（補助加熱パス数）を少なくすると、分流器の上流側における圧力損失が大きくなり、熱交換器の主要部を構成する扁平管列（分流器を通過した冷媒が流れる扁平管）において冷媒の高低圧差を確保することが困難となる。その結果、熱交換器の熱交換効率が低下してしまう。逆に、熱交換器において補助加熱パス数を多くすると、膨張弁と分流器との間における圧力損失を小さくすることができるが、熱交換器の主要部を構成する扁平管の本数が少なくなってしまうので、熱交換器の熱交換効率が低下してしまう。
【０００７】
そこで、この発明は、分流器の上流側における圧力損失を抑制しつつ熱交換効率を確保することが可能な熱交換器を提供することを目的とする。
【課題を解決するための手段】
【０００８】
第１の発明は、上下に平行に並んだ複数の多穴扁平管（31）によって構成された扁平管列（50）と、該多穴扁平管（31）に接合されたフィン（32）とを備え、該多穴扁平管（31）を流れる冷媒を空気と熱交換させる熱交換器であって、補助伝熱管（33）を有して上記扁平管列（50）の下方に配置され、該補助伝熱管（33）を流れる冷媒を空気と熱交換させる補助熱交換部（39a）と、上記扁平管列（50）を構成する複数の多穴扁平管（31）の端部と上記補助熱交換部（39a）の補助伝熱管（33）の端部との間に接続された分流器（150）とを備え、上記補助伝熱管（33）の流路断面積が、上記扁平管列（50）を構成する多穴扁平管（31）の流路断面積よりも広く、蒸発器として機能する場合に、上記補助熱交換部（39a）の補助伝熱管（33）から流出した冷媒が上記分流器（150）で分流して上記扁平管列（50）を構成する複数の多穴扁平管（31）に流入することを特徴とする熱交換器である。
【０００９】
上記第１の発明では、補助伝熱管（33）の流路断面積を多穴扁平管（31）の流路断面積よりも広くすることにより、補助伝熱管（33）の流路抵抗を多穴扁平管（31）の流路抵抗よりも低くすることができる。これにより、補助伝熱管（33）を扁平管列（50）を構成する多穴扁平管（31）と同一形状に形成する場合よりも、補助伝熱管（33）における圧力損失を低減することができる。したがって、補助伝熱管（33）を扁平管列（50）を構成する多穴扁平管（31）と同一形状に形成する場合よりも、分流器（150）の上流側における圧力損失を抑制するために必要となる補助伝熱管（33）の本数を少なくすることができる。すなわち、熱交換器（23）における補助熱交換部（39a）の専有面積を狭くすることができるので、扁平管列（50）を構成する多穴扁平管（31）の本数を確保することができる。
【００１０】
第２の発明は、上記第１の発明において、上記補助伝熱管（33）が、上記扁平管列（50）を構成する多穴扁平管（31）の流路断面積よりも広い流路断面積を有する補助多穴扁平管（34）によって構成されていることを特徴とする熱交換器である。
【００１１】
上記第２の発明では、扁平管列（50）を構成する多穴扁平管（31）と同様の構成を有する補助多穴扁平管（34）によって補助熱交換部（39a）の補助伝熱管（33）を構成することにより、多穴扁平管（31）と同様の方式によって補助伝熱管（33）をフィン（32）と接合させることができる。
【００１２】
第３の発明は、上記第１の発明において、上記補助伝熱管（33）は、上記扁平管列（50）を構成する多穴扁平管（31）の流路断面積よりも広い流路断面積を有する補助円管（200）によって構成されていることを特徴とする熱交換器である。
【００１３】
上記第３の発明では、補助伝熱管（33）の流路断面積の設計を容易することができる。
【発明の効果】
【００１４】
第１の発明によれば、分流器（150）の上流側における圧力損失を抑制するために必要となる補助伝熱管（33）の本数を少なくすることができるので、分流器（150）の上流側における圧力損失を抑制しつつ熱交換器（23）の熱交換効率を確保することができる。
【００１５】
第２の発明によれば、多穴扁平管（31）と同様の方式によって補助伝熱管（33）をフィン（32）と接合させることができるので、室外熱交換器（23）の組立を容易にすることができる。
【００１６】
第３の発明によれば、補助伝熱管（33）の流路断面積の設計を容易することができるので、多穴扁平管（31）の流路断面積よりも広い流路断面積を有する補助伝熱管（33）を容易に製造することができる。
【図面の簡単な説明】
【００１７】
【図１】図１は、実施形態１の室外熱交換器を備えた空気調和機の概略構成を示す冷媒回路図である。
【図２】図２は、実施形態１の室外熱交換器の概略構成を示す斜視図である。
【図３】図３は、実施形態１の室外熱交換器を風上熱交換器ユニットと風下熱交換器ユニットに分解して示す概略の斜視図であって、室外熱交換器が蒸発器として機能する場合の冷媒の流れを示すものである。
【図４】図４は、実施形態１の室外熱交換器を風上熱交換器ユニットと風下熱交換器ユニットに分解して示す概略の斜視図であって、室外熱交換器が凝縮器として機能する場合の冷媒の流れを示すものである。
【図５】図５は、実施形態１の風上熱交換器ユニットを正面から見た一部断面図である。
【図６】図６は、実施形態１の風下熱交換器ユニットを正面から見た一部断面図である。
【図７】図７は、図５のＡ−Ａ断面および図６のＢ−Ｂ断面の一部を拡大して示す熱交換器ユニットの断面図である。
【図８】図８は、実施形態１の室外熱交換器の要部の断面図であって、(Ａ)は(Ｂ)のＤ−Ｄ断面を示し、(Ｂ)は(Ａ)のＣ−Ｃ断面を示す。
【図９】図９は、実施形態１の風上熱交換器ユニットの一部を正面から見た拡大断面図である。
【図１０】図１０は、実施形態１の変形例１の風上熱交換器ユニットを正面から見た一部断面図である。
【図１１】図１１は、実施形態１の変形例１の風下熱交換器ユニットを正面から見た一部断面図である。
【図１２】図１２は、実施形態１の変形例２の室外熱交換器の概略構成を示す斜視図である。
【図１３】図１３は、実施形態１の変形例２の室外熱交換器を上方から見た一部断面図である。
【図１４】図１４は、実施形態１の変形例３の室外熱交換器の図７に相当する断面図である。
【図１５】図１５は、実施形態２の室外熱交換器の概略構成を示す斜視図である。
【図１６】図１６は、実施形態２の風上熱交換器ユニットを正面から見た一部断面図である。
【図１７】図１７は、実施形態２の風下熱交換器ユニットを正面から見た一部断面図である。
【図１８】図１８は、図１６のＡ−Ａ断面および図１７のＢ−Ｂ断面の一部を拡大して示す熱交換器ユニットの断面図である。
【発明を実施するための形態】
【００１８】
以下、この発明の実施形態を図面を参照して詳しく説明する。なお、図中同一または相当部分には同一の符号を付しその説明は繰り返さない。また、以下で説明する実施形態および変形例は、本質的に好ましい例示であって、この発明、その適用物、あるいはその用途の範囲を制限することを意図するものではない。
【００１９】
〔実施形態１〕
図１は、実施形態１による室外熱交換器（23）が設けられた空気調和機（10）の構成例を示している。空気調和機（10）は、室外ユニット（11）と室内ユニット（12）とを備えている。室外ユニット（11）と室内ユニット（12）は、液側連絡配管（13）およびガス側連絡配管（14）を介して互いに接続されている。空気調和機（10）では、室外ユニット（11）と室内ユニット（12）と液側連絡配管（13）とガス側連絡配管（14）によって、冷媒回路（20）が形成されている。
【００２０】
冷媒回路（20）には、圧縮機（21）と、四方切換弁（22）と、室外熱交換器（23）と、膨張弁（24）と、室内熱交換器（25）とが設けられている。圧縮機（21）と四方切換弁（22）と室外熱交換器（23）と膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００２１】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。この冷媒回路（20）において、室外熱交換器（23）は、配管（17）を介して膨張弁（24）に接続され、配管（18）を介して四方切換弁（22）の第３のポートに接続される。
【００２２】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００２３】
室外熱交換器（23）は、室外空気を冷媒と熱交換させる。室外熱交換器（23）の構成については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００２４】
〈空気調和機の運転動作〉
次に、空気調和機（10）の運転動作について説明する。空気調和機（10）は、冷房運転と暖房運転を選択的に行う。
【００２５】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００２６】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００２７】
〈室外熱交換器の構成〉
次に、図２〜図９を参照して、室外熱交換器（23）の構成について説明する。なお、以下の説明において用いる「上」「下」「左」「右」「前」「後」は、室外熱交換器（23）を空気の流れ方向の上流側から見た場合の方向を示している。
【００２８】
図２に示すように、室外熱交換器（23）は、二列構造の空気熱交換器であり、風上熱交換器ユニット（30）と風下熱交換器ユニット（60）とを備えている。風上熱交換器ユニット（30）と風下熱交換器ユニット（60）は、室外熱交換器（23）を通過する空気流の方向に重なっている。室外熱交換器（23）を通過する空気の流れ方向において、風上熱交換器ユニット（30）は、風下熱交換器ユニット（60）の上流側に配置されている。
【００２９】
《風上熱交換器ユニットの構成》
図３および図５に示すように、風上熱交換器ユニット（30）は、一つの第１風上ヘッダ集合管（40）と、一つの第２風上ヘッダ集合管（45）と、多数の扁平管（31）（多穴扁平管）と、多数のフィン（32）と、補助伝熱管（33）とを備えている。第１風上ヘッダ集合管（40）と第２風上ヘッダ集合管（45）と扁平管（31）とフィン（32）と補助伝熱管（33）は、何れもアルミニウム合金製の部材であって、互いにロウ付けによって接合されている。なお、この例では、補助伝熱管（33）は、補助扁平管（34）（補助多穴扁平管）によって構成されている。
【００３０】
第１風上ヘッダ集合管（40）と第２風上ヘッダ集合管（45）は、何れも両端が閉塞された細長い円筒状に形成されている。図５において、第１風上ヘッダ集合管（40）は風上熱交換器ユニット（30）の左端に、第２風上ヘッダ集合管（45）は風上熱交換器ユニット（30）の右端に、それぞれ起立した状態で設置されている。つまり、第１風上ヘッダ集合管（40）および第２風上ヘッダ集合管（45）は、それぞれの軸方向が上下方向となる状態で設置されている。
【００３１】
図７に示すように、扁平管（31）は、その断面形状が扁平な長円形となった伝熱管である。図５に示すように、風上熱交換器ユニット（30）において、複数の扁平管（31）は、それぞれの軸方向が左右方向となり、それぞれの側面のうち平坦な部分（平坦部）が対向する状態で配置されている。また、複数の扁平管（31）は、互いに一定の間隔をおいて上下に並んで配置され、互いの軸方向が実質的に平行となっている。各扁平管（31）は、その一端が第１風上ヘッダ集合管（40）に挿入され、その他端が第２風上ヘッダ集合管（45）に挿入されている。風上熱交換器ユニット（30）に設けられた扁平管（31）は、風上管列（50）（扁平管列）を構成している。
【００３２】
図７に示すように、扁平管（31）には、複数の流体通路（175）が形成されている。各流体通路（175）は、扁平管（31）の軸方向に延びる通路であって、扁平管（31,61）の幅方向に一列に並んでいる。各流体通路（175）は、扁平管（31）の両端面に開口している。
【００３３】
図７に示すように、補助扁平管（34）は、その断面形状が扁平な長円形となった伝熱管である。図５に示すように、風上熱交換器ユニット（30）において、補助扁平管（34）は、その軸方向が左右方向となり、その側面のうち平坦な部分（平坦部）が風上管列（50）を構成する多数の扁平管（31）のうち最下段に位置する扁平管（31）の平坦部と所定の間隔をおいて対向する状態で、風上管列（50）の下方に配置されている。補助扁平管（34）の軸方向は、風上管列（50）を構成する扁平管（31）の軸方向と実質的に平行となっている。補助扁平管（34）は、その一端が第１風上ヘッダ集合管（40）に挿入され、その他端が第２風上ヘッダ集合管（45）に挿入されている。
【００３４】
図７に示すように、補助扁平管（34）には、複数の流体通路（195）が形成されている。各流体通路（195）は、補助扁平管（34）の軸方向に延びる通路であって、補助扁平管（34）の幅方向に一列に並んでいる。各流体通路（195）は、補助扁平管（34）の両端面に開口している。なお、補助扁平管（34）の流路断面積は、風上管列（50）を構成する扁平管（31）の流路断面積よりも広くなっている。具体的には、補助扁平管（34）に形成された複数の流体通路（195）の流路断面積の合計は、扁平管（31）に形成された複数の流体通路（175）の流路断面積の合計よりも広くなっている。
【００３５】
風上熱交換器ユニット（30）へ供給された冷媒は、扁平管（31）の流体通路（175）および補助扁平管（34）の流体通路（195）を流れる間に空気と熱交換する。
【００３６】
図７に示すように、フィン（32）は、金属板をプレス加工することによって形成された縦長の板状フィンである。フィン（32）には、フィン（32）の前縁（即ち、風上側の縁部）からフィン（32）の幅方向に延びる細長い切り欠き部（186）が、多数形成されている。フィン（32）では、多数の切り欠き部（186）が、フィン（32）の長手方向（上下方向）に一定の間隔で形成されている。切り欠き部（186）の風下寄りの部分は、管挿入部（187）を構成している。扁平管（31）は、フィン（32）の管挿入部（187）に挿入され、管挿入部（187）の周縁部とロウ付けによって接合される。また、フィン（32）には、伝熱を促進するためのルーバー（185）が形成されている。そして、複数のフィン（32）は、扁平管（31）の軸方向に一定の間隔をおいて配列されている。なお、補助扁平管（34）は、フィン（32）の最下段に位置する管挿入部（187）に挿入され、管挿入部（187）の周縁部とロウ付けによって接合される。この例では、フィン（32）の最下段に位置する管挿入部（187）に扁平管（31）よりも断面積が大きい補助扁平管（34）を挿入するために、フィン（32）の最下段に位置する管挿入部（187）の切り欠き面積は、他段の管挿入部（187）の切り欠き面積よりも広くなっている。
【００３７】
図３および図５に示すように、風上熱交換器ユニット（30）は、上下に三つの熱交換領域（35,37,39）に区分され、上側の熱交換領域が風上主熱交換領域（35）となり、中央の熱交換領域が風上副熱交換領域（37）となり、下側の熱交換領域が風上補助熱交換領域（39）となっている。
【００３８】
風上熱交換器ユニット（30）に設けられた扁平管（31）は、風上主熱交換領域（35）に位置するものが風上主列部（51）を構成し、風上副熱交換領域（37）に位置するものが風上副列部（54）を構成する。つまり、風上管列（50）を構成する扁平管（31）は、その一部が風上副列部（54）を構成し、残りが風上主列部（51）を構成する。また、風上補助熱交換領域（39）には、補助伝熱管（33）（この例では、補助扁平管（34））が配置されている。詳しくは後述するが、風上副列部（54）を構成する扁平管（31）の本数は、風上主列部（51）を構成する扁平管（31）の本数よりも少ない。
【００３９】
風上主熱交換領域（35）は、上下に六つの風上主熱交換部（36a〜36f）に区分されている。風上副熱交換領域（37）は、上下に三つの風上副熱交換部（38a〜38c）に区分されている。風上補助熱交換領域（39）は、一つの風上補助熱交換部（39a）によって構成されている。なお、ここに示した風上主熱交換部（36a〜36f）および風上副熱交換部（38a〜38c）の数は、単なる一例である。
【００４０】
風上主熱交換領域（35）には、下から上に向かって順に、第１風上主熱交換部（36a）と、第２風上主熱交換部（36b）と、第３風上主熱交換部（36c）と、第４風上主熱交換部（36d）と、第５風上主熱交換部（36e）と、第６風上主熱交換部（36f）とが形成されている。各風上主熱交換部（36a〜36f）には、十二本の扁平管（31）が設けられている。
【００４１】
第１風上主熱交換部（36a）に設けられた十二本の扁平管（31）は、第１風上主列ブロック（52a）を構成する。第２風上主熱交換部（36b）に設けられた十二本の扁平管（31）は、第２風上主列ブロック（52b）を構成する。第３風上主熱交換部（36c）に設けられた十二本の扁平管（31）は、第３風上主列ブロック（52c）を構成する。第４風上主熱交換部（36d）に設けられた十二本の扁平管（31）は、第４風上主列ブロック（52d）を構成する。第５風上主熱交換部（36e）に設けられた十二本の扁平管（31）は、第５風上主列ブロック（52e）を構成する。第６風上主熱交換部（36f）に設けられた十二本の扁平管（31）は、第６風上主列ブロック（52f）を構成する。なお、各風上主列ブロック（52a〜52f）を構成する扁平管（31）の本数は、互いに一致していなくてもよい。
【００４２】
第１風上主列ブロック（52a）および第２風上主列ブロック（52b）は、第１風上主列ブロック群（53a）を構成する。第３風上主列ブロック（52c）および第４風上主列ブロック（52d）は、第２風上主列ブロック群（53b）を構成する。第５風上主列ブロック（52e）および第６風上主列ブロック（52f）は、第３風上主列ブロック群（53c）を構成する。
【００４３】
風上副熱交換領域（37）には、下から上に向かって順に、第１風上副熱交換部（38a）と、第２風上副熱交換部（38b）と、第３風上副熱交換部（38c）とが形成されている。各風上副熱交換部（38a〜38c）には、三本の扁平管（31）が設けられている。
【００４４】
第１風上副熱交換部（38a）に設けられた三本の扁平管（31）は、第１風上副列ブロック（55a）を構成する。第２風上副熱交換部（38b）に設けられた三本の扁平管（31）は、第２風上副列ブロック（55b）を構成する。第３風上副熱交換部（38c）に設けられた三本の扁平管（31）は、第３風上副列ブロック（55c）を構成する。なお、各風上副列ブロック（55a〜55c）を構成する扁平管（31）の本数は、互いに一致していなくてもよい。
【００４５】
風上補助熱交換領域（39）を構成する風上補助熱交換部（39a）には、一本の補助伝熱管（33）（この例では、一本の補助扁平管（34））が設けられている。すなわち、風上補助熱交換部（39a）は、補助伝熱管（33）を有して風上管列（50）の下方に配置され、補助伝熱管（33）を流れる冷媒を空気と熱交換させる。
【００４６】
図５に示すように、第１風上ヘッダ集合管（40）の内部空間は、二枚の仕切板（41）によって上下に三つの空間に仕切られており、上側仕切板（41）の上側の空間が上側空間（42）となり、二枚の仕切板（41）の間の空間が中間空間（43）となり、下側仕切板（41）の下側の空間が下側空間（44）となっている。
【００４７】
上側空間（42）は、風上主列部（51）を構成する全ての扁平管（31）と連通する。第１風上ヘッダ集合管（40）のうち上側空間（42）を形成する部分には、ガス側接続管（102）が接続されている。このガス側接続管（102）には、冷媒回路（20）を構成する配管（18）が接続される。
【００４８】
第１風上ヘッダ集合管（40）のうち中間空間（43）を形成する部分には、ユニット接続用配管（103）の一端が接続される。詳しくは後述するが、第１風上ヘッダ集合管（40）のうち中間空間（43）を形成する部分は、冷媒を三つの風上副熱交換部（38a〜38c）へ分配するための分流器（150）を構成する。
【００４９】
第１風上ヘッダ集合管（40）のうち下側空間（44）を形成する部分には、液側接続管（101）が接続される。この液側接続管（101）には、冷媒回路（20）を構成する配管（17）が接続される。また、下側空間（44）は、風上補助熱交換部（39a）に設けられた補助扁平管（34）と連通する。
【００５０】
第２風上ヘッダ集合管（45）には、その内部空間を横断する多数の仕切板（46）が設けられている。第２風上ヘッダ集合管（45）の内部空間は、仕切板（46）によって、風上管列（50）を構成する扁平管（31）および風上補助熱交換部（39a）に設けられた補助扁平管（34）の合計本数と同数の連結用空間（47）に区画されている。最下段に位置する仕切板（46）を除く各仕切板（46）は、上下に隣り合う扁平管（31）の間に配置されている。最下段に位置する仕切板（46）は、最下段に位置する扁平管（31）と補助扁平管（34）との間に配置されている。そして、最下段に位置する連結用空間（47）を除く各連結用空間（47）は、それぞれが対応する一本の扁平管（31）と連通し、最下段に位置する連結用空間（47）は、風上補助熱交換部（39a）に設けられた補助扁平管（34）と連通する。
【００５１】
《風下熱交換器ユニットの構成》
図３および図６に示すように、風下熱交換器ユニット（60）は、一つの第１風下ヘッダ集合管（70）と、一つの第２風下ヘッダ集合管（80）と、多数の扁平管（61）（多穴扁平管）と、多数のフィン（62）と、補助伝熱管（63）とを備えている。第１風下ヘッダ集合管（70）と第２風下ヘッダ集合管（80）と扁平管（61）とフィン（62）と補助伝熱管（63）は、何れもアルミニウム合金製の部材であって、互いにロウ付けによって接合されている。なお、この例では、補助伝熱管（63）は、補助扁平管（64）（補助多穴扁平管）によって構成されている。
【００５２】
第１風下ヘッダ集合管（70）と第２風下ヘッダ集合管（80）は、何れも両端が閉塞された細長い円筒状に形成されている。図６において、第１風下ヘッダ集合管（70）は風下熱交換器ユニット（60）の左端に、第２風下ヘッダ集合管（80）は風下熱交換器ユニット（60）の右端に、それぞれ起立した状態で設置されている。つまり、第１風下ヘッダ集合管（70）および第２風下ヘッダ集合管（80）は、それぞれの軸方向が上下方向となる状態で設置されている。
【００５３】
図７に示すように、扁平管（61）は、風上熱交換器ユニット（30）の扁平管（31）と同一形状の伝熱管である。図６に示すように、風下熱交換器ユニット（60）において、複数の扁平管（61）は、風上熱交換器ユニット（30）の扁平管（31）と同様に配列されている。上下に配列された各扁平管（61）は、その一端が第１風下ヘッダ集合管（70）に挿入され、その他端が第２風下ヘッダ集合管（80）に挿入されている。風下熱交換器ユニット（60）に設けられた扁平管（61）は、風下管列（90）（扁平管列）を構成している。風下管列（90）を構成する扁平管（61）の本数は、風上管列（50）を構成する扁平管（31）の本数と等しい。
【００５４】
図７に示すように、補助扁平管（64）は、風上熱交換器ユニット（30）の補助扁平管（34）と同一形状の伝熱管である。図６に示すように、風下熱交換器ユニット（60）において、補助扁平管（64）は、風上熱交換器ユニット（30）の補助扁平管（34）と同様に配置されている。風下管列（90）の下方に配置された補助扁平管（64）は、その一端が第１風下ヘッダ集合管（70）に挿入され、その他端が第２風下ヘッダ集合管（80）に挿入されている。風下熱交換器ユニット（60）に設けられる補助扁平管（64）（すなわち、補助伝熱管（63））の本数は、風上熱交換器ユニット（30）に設けられる補助扁平管（34）（すなわち、補助伝熱管（33））の本数と等しい。
【００５５】
風下熱交換器ユニット（60）へ供給された冷媒は、扁平管（61）の流体通路（175）および補助扁平管（64）の流体通路（195）を流れる間に空気と熱交換する。
【００５６】
図７に示すように、フィン（62）は、金属板をプレス加工することによって形成された縦長の板状フィンである。このフィン（62）の形状は、風上熱交換器ユニット（30）のフィン（32）と同じである。つまり、フィン（62）には切り欠き部（186）が形成され、切り欠き部（186）の一部である管挿入部（187）に扁平管（61）が接合される。また、フィン（62）には、伝熱を促進するためのルーバー（185）が形成されている。そして、複数のフィン（62）は、扁平管（61）の軸方向に一定の間隔をおいて配列されている。なお、補助扁平管（64）は、フィン（62）の最下段に位置する管挿入部（187）に挿入され、管挿入部（187）の周縁部とロウ付けによって接合される。この例では、フィン（62）の最下段に位置する管挿入部（187）に扁平管（61）よりも断面積が大きい補助扁平管（64）を挿入するために、フィン（62）の最下段に位置する管挿入部（187）の切り欠き面積は、他段の管挿入部（187）の切り欠き面積よりも広くなっている。
【００５７】
図３および図６に示すように、風下熱交換器ユニット（60）は、上下に三つの熱交換領域（65,67,69）に区分されており、風下熱交換器ユニット（60）は、上側の熱交換領域が風下主熱交換領域（65）となり、中央の熱交換領域が風下副熱交換領域（67）となり、下側の熱交換領域が風下補助熱交換領域（69）となっている。
【００５８】
風下熱交換器ユニット（60）に設けられた扁平管（61）は、風下主熱交換領域（65）に位置するものが風下主列部（91）を構成し、風下副熱交換領域（67）に位置するものが風下副列部（94）を構成する。つまり、風下管列（90）を構成する扁平管（61）は、その一部が風下副列部（94）を構成し、残りが風下主列部（91）を構成する。また、風下補助熱交換領域（69）には、補助伝熱管（63）（この例では、補助扁平管（64））が配置されている。詳しくは後述するが、風下副列部（94）を構成する扁平管（61）の本数は、風下主列部（91）を構成する扁平管（61）の本数よりも少ない。また、風下主列部（91）を構成する扁平管（61）の本数は、風上主列部（51）を構成する扁平管（31）の本数と等しく、風下副列部（94）を構成する扁平管（61）の本数は、風上副列部（54）を構成する扁平管（31）の本数と等しい。
【００５９】
風下主熱交換領域（65）は、上下に六つの風下主熱交換部（66a〜66f）に区分されている。風下副熱交換領域（67）は、上下に三つの風下副熱交換部（68a〜68c）に区分されている。風下補助熱交換領域（69）は、一つの風下補助熱交換部（69a）によって構成されている。なお、ここに示した風下主熱交換部（66a〜66f）および風下副熱交換部（68a〜68c）の数は、単なる一例である。ただし、風下主熱交換部（66a〜66f）は風上主熱交換部（36a〜36f）と同数であり、風下副熱交換部（68a〜68c）は風上副熱交換部（38a〜38c）と同数であるのが望ましい。
【００６０】
風下主熱交換領域（65）には、下から上に向かって順に、第１風下主熱交換部（66a）と、第２風下主熱交換部（66b）と、第３風下主熱交換部（66c）と、第４風下主熱交換部（66d）と、第５風下主熱交換部（66e）と、第６風下主熱交換部（66f）とが形成されている。各風下主熱交換部（66a〜66f）には、十二本の扁平管（61）が設けられている。
【００６１】
第１風下主熱交換部（66a）に設けられた十二本の扁平管（61）は、第１風下主列ブロック（92a）を構成する。第２風下主熱交換部（66b）に設けられた十二本の扁平管（61）は、第２風下主列ブロック（92ｂ）を構成する。第３風下主熱交換部（66c）に設けられた十二本の扁平管（61）は、第３風下主列ブロック（92c）を構成する。第４風下主熱交換部（66d）に設けられた十二本の扁平管（61）は、第４風下主列ブロック（92d）を構成する。第５風下主熱交換部（66e）に設けられた十二本の扁平管（61）は、第５風下主列ブロック（92e）を構成する。第６風下主熱交換部（66f）に設けられた十二本の扁平管（61）は、第６風下主列ブロック（92f）を構成する。
【００６２】
なお、各風下主列ブロック（92a〜92f）を構成する扁平管（61）の本数は、互いに一致していなくてもよい。ただし、各風下主列ブロック（92a〜92f）を構成する扁平管（61）の本数が互いに一致しない場合であっても、第１風下主列ブロック（92a）を構成する扁平管（61）は第１風上主列ブロック（52a）を構成する扁平管（31）と同数であり、第２風下主列ブロック（92ｂ）を構成する扁平管（61）は第２風上主列ブロック（52b）を構成する扁平管（31）と同数であり、第３風下主列ブロック（92c）を構成する扁平管（61）は第３風上主列ブロック（52c）を構成する扁平管（31）と同数であり、第４風下主列ブロック（92d）を構成する扁平管（61）は第４風上主列ブロック（52d）を構成する扁平管（31）と同数であり、第５風下主列ブロック（92e）を構成する扁平管（61）は第５風上主列ブロック（52e）を構成する扁平管（31）と同数であり、第６風下主列ブロック（92f）を構成する扁平管（61）は第６風上主列ブロック（52f）を構成する扁平管（31）と同数であるのが望ましい。
【００６３】
第１風下主列ブロック（92a）および第２風下主列ブロック（92ｂ）は、第１風下主列ブロック群（93a）を構成する。第３風下主列ブロック（92c）および第４風下主列ブロック（92d）は、第２風下主列ブロック群（93b）を構成する。第５風下主列ブロック（92e）および第６風下主列ブロック（92f）は、第３風下主列ブロック群（93c）を構成する。
【００６４】
風下副熱交換領域（67）には、下から上に向かって順に、第１風下副熱交換部（68a）と、第２風下副熱交換部（68b）と、第３風下副熱交換部（68c）とが形成されている。各風下副熱交換部（68a〜68c）には、三本の扁平管（61）が設けられている。
【００６５】
第１風下副熱交換部（68a）に設けられた三本の扁平管（61）は、第１風下副列ブロック（95a）を構成する。第２風下副熱交換部（68b）に設けられた三本の扁平管（61）は、第２風下副列ブロック（95b）を構成する。第３風下副熱交換部（68c）に設けられた三本の扁平管（61）は、第３風下副列ブロック（95c）を構成する。
【００６６】
なお、各風下副列ブロック（95a〜95c）を構成する扁平管（61）の本数は、互いに一致していなくてもよい。ただし、各風下副列ブロック（95a〜95c）を構成する扁平管（61）の本数が互いに一致しない場合であっても、第１風下副列ブロック（95a）を構成する扁平管（61）は第１風上副列ブロック（55a）を構成する扁平管（31）と同数であり、第２風下副列ブロック（95b）を構成する扁平管（61）は第２風上副列ブロック（55b）を構成する扁平管（31）と同数であり、第３風下副列ブロック（95c）を構成する扁平管（61）は第３風上副列ブロック（55c）を構成する扁平管（31）と同数であるのが望ましい。
【００６７】
風下補助熱交換領域（69）を構成する風下補助熱交換部（69a）には、一本の補助伝熱管（63）（この例では、一本の補助扁平管（64））が設けられている。すなわち、風下補助熱交換部（69a）は、補助伝熱管（63）を有して風下管列（90）の下方に配置され、補助伝熱管（63）を流れる冷媒を空気と熱交換させる。
【００６８】
図６に示すように、第１風下ヘッダ集合管（70）の内部空間は、二枚の仕切板（71）によって上下に三つの空間に仕切られており、上側仕切板（71）の上側の空間が上側空間（72）となり、二枚の仕切板（71）の間の空間が中間空間（73）となり、下側仕切板（71）の下側の空間が下側空間（78）となっている。
【００６９】
上側空間（72）は、五枚の仕切板（74）によって、六つの主連通空間（75a〜75f）に仕切られている。つまり、第１風下ヘッダ集合管（70）における上側仕切板（71）の上側には、下から上へ向かって順に、第１主連通空間（75a）と、第２主連通空間（75b）と、第３主連通空間（75c）と、第４主連通空間（75d）と、第５主連通空間（75e）と、第６主連通空間（75f）とが形成されている。
【００７０】
第１主連通空間（75a）には、第１風下主列ブロック（92a）を構成する十二本の扁平管（61）が連通する。第２主連通空間（75b）には、第２風下主列ブロック（92ｂ）を構成する十二本の扁平管（61）が連通する。第３主連通空間（75c）には、第３風下主列ブロック（92c）を構成する十二本の扁平管（61）が連通する。第４主連通空間（75d）には、第４風下主列ブロック（92d）を構成する十二本の扁平管（61）が連通する。第５主連通空間（75e）には、第５風下主列ブロック（92e）を構成する十二本の扁平管（61）が連通する。第６主連通空間（75f）には、第６風下主列ブロック（92f）を構成する十二本の扁平管（61）が連通する。
【００７１】
中間空間（73）は、二枚の仕切板（76）によって、三つの副連通空間（77a〜77c）に仕切られている。つまり、第１風下ヘッダ集合管（70）における下側仕切板（71）の下側には、下から上へ向かって順に、第１副連通空間（77a）と、第２副連通空間（77b）と、第３副連通空間（77c）とが形成されている。
【００７２】
第１副連通空間（77a）には、第１風下副列ブロック（95a）を構成する三本の扁平管（61）が連通する。第２副連通空間（77b）には、第２風下副列ブロック（95b）を構成する三本の扁平管（61）が連通する。第３副連通空間（77c）には、第３風下副列ブロック（95c）を構成する三本の扁平管（61）が連通する。
【００７３】
第１風下ヘッダ集合管（70）には、三本の接続用配管（110,120,130）が取り付けられている。各接続用配管（110,120,130）は、一つの主管部（111,121,131）と、主管部（111,121,131）の端部に接続する二つの分岐管部（112a,112b,122a,122b,132a,132b）とを備えている。
【００７４】
第１接続用配管（110）は、第１風下副列ブロック（95a）と第１風下主列ブロック群（93a）とを接続する。具体的には、第１接続用配管（110）は、主管部（111）の開口端が第１副連通空間（77a）と連通し、一方の分岐管部（112a）の開口端が第１主連通空間（75a）と連通し、他方の分岐管部（112b）の開口端が第２主連通空間（75b）と連通する。したがって、第１副連通空間（77a）は、第１風下主列ブロック（92a）に対応する第１主連通空間（75a）と、第２風下主列ブロック（92ｂ）に対応する第２主連通空間（75b）の両方に接続される。
【００７５】
第２接続用配管（120）は、第２風下副列ブロック（95b）と第２風下主列ブロック群（93b）とを接続する。具体的には、第２接続用配管（120）は、主管部（121）の開口端が第２副連通空間（77b）と連通し、一方の分岐管部（122a）の開口端が第３主連通空間（75c）と連通し、他方の分岐管部（122b）の開口端が第４主連通空間（75d）と連通する。したがって、第２副連通空間（77b）は、第３風下主列ブロック（92c）に対応する第３主連通空間（75c）と、第４風下主列ブロック（92d）に対応する第４主連通空間（75d）の両方に接続される。
【００７６】
第３接続用配管（130）は、第３風下副列ブロック（95c）と第３風下主列ブロック群（93c）とを接続する。具体的には、第３接続用配管（130）は、主管部（131）の開口端が第３副連通空間（77c）と連通し、一方の分岐管部（132a）の開口端が第５主連通空間（75e）と連通し、他方の分岐管部（132b）の開口端が第６主連通空間（75f）と連通する。したがって、第３副連通空間（77c）は、第５風下主列ブロック（92e）に対応する第５主連通空間（75e）と、第６風下主列ブロック（92f）に対応する第６主連通空間（75f）の両方に接続される。
【００７７】
第１風下ヘッダ集合管（70）のうち下側空間（78）を形成する部分には、ユニット接続用配管（103）の他端が接続される。すなわち、ユニット接続用配管（103）は、第１風下ヘッダ集合管（70）に形成された下側空間（78）と第１風上ヘッダ集合管（40）に形成された中間空間（43）とを連通させる。また、下側空間（78）は、風下補助熱交換部（69a）に設けられた補助扁平管（64）と連通する。
【００７８】
第２風下ヘッダ集合管（80）には、その内部空間を横断する多数の仕切板（81）が設けられている。第２風下ヘッダ集合管（80）の内部空間は、仕切板（81）によって、風下管列（90）を構成する扁平管（61）および風下補助熱交換部（69a）に設けられた補助扁平管（34）の合計本数と同数の連結用空間（82）に区画されている。最下段に位置する仕切板（81）を除く各仕切板（81）は、上下に隣り合う扁平管（61）の間に配置されている。最下段に位置する仕切板（81）は、最下段に位置する扁平管（61）と補助扁平管（64）との間に配置されている。そして、最下段に位置する連結用空間（82）を除く各連結用空間（82）は、それぞれが対応する一本の扁平管（61）と連通し、最下段に位置する連結用空間（82）は、風下補助熱交換部（69a）に設けられた補助扁平管（64）と連通する。
【００７９】
図８(Ａ)および図８(Ｂ)に示すように、第２風下ヘッダ集合管（80）は、風上管列（50）を構成する扁平管（31）および風上補助熱交換部（39a）に設けられた補助扁平管（34）の合計本数（すなわち、風下管列（90）を構成する扁平管（61）および風下補助熱交換部（69a）に設けられた補助扁平管（64）の合計本数）と同数の連結管（105）を介して第２風上ヘッダ集合管（45）に接続されている。連結管（105）は、比較的短い円管である。各連結管（105）は、第２風上ヘッダ集合管（45）の連結用空間（47）と第２風下ヘッダ集合管（80）の各連結用空間（82）を一つずつ個別に連通させる。
【００８０】
《分流器の構成》
上述したように、第１風上ヘッダ集合管（40）のうち中間空間（43）を形成する部分は、分流器（150）を構成する。この分流器（150）は、室外熱交換器（23）が蒸発器として機能する場合に、室外熱交換器（23）へ供給された気液二相状態の冷媒（より具体的には、風上補助熱交換部（39a）の補助伝熱管（33）および風下補助熱交換部（69a）の補助伝熱管（63）を通過した冷媒）を三つの風上副熱交換部（38a〜38c）へ分配する。この例では、分流器（150）は、風上管列（50）（具体的には、風上副列部（54））を構成する複数の扁平管（31）の端部と風下補助熱交換部（69a）の補助扁平管（64）（すなわち、補助伝熱管（63））の端部との間に接続されている。以下、分流器（150）について、図９を参照しながら説明する。
【００８１】
中間空間（43）には、二枚の横仕切板（160,162）と、一枚の縦仕切板（164）とが設けられている。中間空間（43）は、二枚の横仕切板（160,162）と一枚の縦仕切板（164）とによって、三つの連通室（151〜153）と一つの混合室（154）と二つの中間室（155,156）に仕切られる。
【００８２】
具体的には、各横仕切板（160,162）は、中間空間（43）を横断するように配置され、中間空間（43）を上下に仕切る。下側横仕切板（160）は、第１風上副列ブロック（55a）と第２風上副列ブロック（55b）の間に配置され、上側横仕切板（162）は、第２風上副列ブロック（55b）と第３風上副列ブロック（55c）の間に配置される。縦仕切板（164）は、細長い長方形板状の部材である。縦仕切板（164）は、第１風上ヘッダ集合管（40）の軸方向に沿って配置され、中間空間（43）を扁平管（31）側とユニット接続用配管（103）側に仕切る。
【００８３】
中間空間（43）のうち下側横仕切板（160）の下側の部分は、縦仕切板（164）によって、扁平管（31）側の第１連通室（151）とユニット接続用配管（103）側の下側中間室（155）に仕切られる。第１連通室（151）は、第１風上副列ブロック（55a）を構成する三本の扁平管（31）と連通する。
【００８４】
中間空間（43）のうち下側横仕切板（160）と上側横仕切板（162）の間の部分は、縦仕切板（164）によって、扁平管（31）側の第２連通室（152）とユニット接続用配管（103）側の混合室（154）に仕切られる。第２連通室（152）は、第２風上副列ブロック（55b）を構成する三本の扁平管（61）と連通する。混合室（154）は、ユニット接続用配管（103）と連通する。
【００８５】
中間空間（43）のうち上側横仕切板（162）よりも上側の部分は、縦仕切板（164）によって、扁平管（31）側の第３連通室（153）とユニット接続用配管（103）側の上側中間室（156）に仕切られる。第３連通室（153）は、第３風上副列ブロック（55c）を構成する三本の扁平管（31）と連通する。
【００８６】
縦仕切板（164）の上部と下部には、連通孔（165a,165b）が一つずつ形成されている。各連通孔（165a,165b）は、横長の長方形状の貫通孔である。縦仕切板（164）の下部の連通孔（165b）は、縦仕切板（164）のうち下側横仕切板（160）よりも下側の部分の下端付近に形成され、第１連通室（151）を下側中間室（155）と連通させる。縦仕切板（164）の上部の連通孔（165a）は、縦仕切板（164）のうち上側横仕切板（162）よりも上側の部分の下端付近に形成され、第３連通室（153）を上側中間室（156）と連通させる。
【００８７】
下側横仕切板（160）は、混合室（154）に面する部分に流量調節孔（161）が形成されている。第１連通室（151）は、この流量調節孔（161）を介して混合室（154）と連通する。上側横仕切板（162）は、混合室（154）に面する部分に流量調節孔（163）が形成されている。第３連通室（153）は、この流量調節孔（163）を介して混合室（154）と連通する。縦仕切板（164）は、混合室（154）に面する部分の下端付近に流量調節孔（166）が形成されている。第２連通室（152）は、この流量調節孔（166）を介して混合室（154）と連通する。
【００８８】
分流器（150）において、下側横仕切板（160）の流量調節孔（161）と、上側横仕切板（162）の流量調節孔（163）と、縦仕切板（164）の流量調節孔（166）とは、比較的小径の円形の貫通孔である。分流器（150）は、各風上副列ブロック（55a〜55c）へ冷媒が所定の割合で分配されるように、これら流量調節孔（161,163,166）の開口面積（具体的には、直径）が設定されている。
【００８９】
〈室外熱交換器における冷媒の流れ／蒸発器の場合〉
次に、暖房運転中における室外熱交換器（23）での冷媒の流れについて説明する。空気調和機（10）の暖房運転中には、室外熱交換器（23）が蒸発器として機能する。室外熱交換器（23）には、膨張弁（24）を通過する際に膨張して気液二相状態となった冷媒が、配管（17）を通じて供給される。図３に示すように、配管（17）から液側接続管（101）へ供給された冷媒は、風上補助熱交換部（39a）の補助扁平管（34）（すなわち、補助伝熱管（33））と、風下補助熱交換部（69a）の補助扁平管（64）（すなわち、補助伝熱管（63））と、分流器（150）と、風上副列部（54）を構成する扁平管（31）と、風下副列部（94）を構成する扁平管（61）と、風下主列部（91）を構成する扁平管（61）と、風上主列部（51）を構成する扁平管（31）とを順に通過し、ガス側接続管（102）を通って配管（18）へ流出してゆく。以下、室外熱交換器（23）の各部における冷媒の流れについて詳しく説明する。
【００９０】
図５に示すように、液側接続管（101）から流入した気液二相状態の冷媒は、第１風上ヘッダ集合管（40）の下側空間（44）を通って風上補助熱交換部（39a）の補助扁平管（34）へ流入する。風上補助熱交換部（39a）の補助扁平管（34）を流れる冷媒は、室外熱交換器（23）へ供給された室外空気と熱交換する。
【００９１】
図８(Ａ)および図８(Ｂ)に示すように、風上補助熱交換部（39a）の補助扁平管（34）と風下補助熱交換部（69a）の補助扁平管（64）とは、連結管（105）を介して互いに接続されている。したがって、風上補助熱交換部（39a）の補助扁平管（34）を通過した冷媒は、第２風上ヘッダ集合管（45）の連結用空間（47）と連結管（105）と第２風下ヘッダ集合管（80）の連結用空間（82）を順に通って、風下補助熱交換部（69a）の補助扁平管（64）へ流入する。
【００９２】
図６に示すように、風下補助熱交換部（69a）の補助扁平管（64）を流れる冷媒は、風上補助熱交換領域（39）を通過した空気と室外空気と熱交換する。風下補助熱交換部（69a）の補助扁平管（64）を通過した冷媒は、第１風下ヘッダ集合管（70）の下側空間（78）へ流入し、その後、ユニット接続用配管（103）を通過して第１風上ヘッダ集合管（40）の混合室（154）へ流入する。
【００９３】
図５に示すように、混合室（154）へ流入した冷媒（気液二相状態の冷媒）は、三つの連通室（151〜153）に分配され、その後、各連通室（151〜153）に対応する風上副列ブロック（55a〜55c）の扁平管（31）へ流入する。風上副列ブロック（55a〜55c）の扁平管（31）を流れる冷媒は、室外熱交換器（23）へ供給された室外空気と熱交換する。
【００９４】
図８(Ａ)および図８(Ｂ)に示すように、風上副列ブロック（55a〜55c）の各扁平管（31）と風下副列ブロック（95a〜95c）の各扁平管（61）とは、連結管（105）を介して一本ずつ個別に接続されている。したがって、風上副列ブロック（55a〜55c）の各扁平管（31）を通過した冷媒は、第２風上ヘッダ集合管（45）の連結用空間（47）と連結管（105）と第２風下ヘッダ集合管（80）の連結用空間（82）とを順に通って、風下副列ブロック（95a〜95c）の各扁平管（61）へ流入する。
【００９５】
図６に示すように、風下副列ブロック（95a〜95c）の扁平管（61）を流れる冷媒は、風上副熱交換領域（37）を通過した室外空気と熱交換する。各風下副列ブロック（95a〜95c）の三本の扁平管（61）を通過した冷媒は、各風下副列ブロック（95a〜95c）に対応する第１風下ヘッダ集合管（70）の副連通空間（77a〜77c）へ入って合流する。
【００９６】
第１副連通空間（77a）から第１接続用配管（110）の主管部（111）へ流入した冷媒は、その一部が一方の分岐管部（112a）を通って第１主連通空間（75a）へ、残りが他方の分岐管部（112b）を通って第２主連通空間（75b）へ、それぞれ流入する。第２副連通空間（77b）から第２接続用配管（120）の主管部（121）へ流入した冷媒は、その一部が一方の分岐管部（122a）を通って第３主連通空間（75c）へ、残りが他方の分岐管部（122b）を通って第４主連通空間（75d）へ、それぞれ流入する。第３副連通空間（77c）から第３接続用配管（130）の主管部（131）へ流入した冷媒は、その一部が一方の分岐管部（132a）を通って第５主連通空間（75e）へ、残りが他方の分岐管部（132b）を通って第６主連通空間（75f）へ、それぞれ流入する。
【００９７】
第１風下ヘッダ集合管（70）の各主連通空間（75a〜75f）へ流入した冷媒は、各主連通空間（75a〜75f）に対応する風下主列ブロック（92a〜92f）の十二本の扁平管（61）へ分かれて流入する。各風下主列ブロック（92a〜92f）の扁平管（61）を流れる冷媒は、風上主熱交換領域（35）を通過した室外空気と熱交換する。
【００９８】
図８(Ａ)および図８(Ｂ)に示すように、風上主列ブロック（52a〜52f）の各扁平管（31）と風下主列ブロック（92a〜92f）の各扁平管（61）とは、連結管（105）を介して一本ずつ個別に接続されている。したがって、風下主列ブロック（92a〜92f）の各扁平管（61）を通過した冷媒は、第２風上ヘッダ集合管（45）の連結用空間（47）と連結管（105）と第２風下ヘッダ集合管（80）の連結用空間（82）とを順に通って、風上主列ブロック（52a〜52f）の各扁平管（31）へ流入する。
【００９９】
図５に示すように、風上主列ブロック（52a〜52f）の扁平管（31）を流れる冷媒は、室外熱交換器（23）へ供給された室外空気と熱交換する。風上主列ブロック（52a〜52f）の扁平管（31）を通過した冷媒は、第１風上ヘッダ集合管（40）の上側空間（42）へ入って合流し、その後にガス側接続管（102）を通って室外熱交換器（23）から流出してゆく。
【０１００】
〈補助熱交換部における冷媒の作用／蒸発器の場合〉
上述のように、暖房運転中の室外熱交換器（23）では、膨張弁（24）を通過する際に膨張して気液二相状態となった冷媒が、配管（17）と液側接続管（101）と第１風上ヘッダ集合管（40）の下側空間（44）を順に通って、風上補助熱交換部（39a）の補助扁平管（34）へ流入する。この補助扁平管（34）を流れる冷媒は、膨張弁（24）において減圧されているが分流器（150）において減圧されていないので、分流器（150）を通過した冷媒よりも高温高圧となっている。したがって、補助扁平管（34）を流れる冷媒によって風上補助熱交換部（39a）（すなわち、室外熱交換器（23）の最下部）が加熱されることになる。
【０１０１】
これと同様に、風下補助熱交換部（69a）の補助扁平管（64）を流れる冷媒も、分流器（150）において減圧されていないので、分流器（150）を通過した冷媒よりも高温高圧となっている。したがって、補助扁平管（64）を流れる冷媒によって風下補助熱交換部（69a）（すなわち、室外熱交換器（23）の最下部）が加熱されることになる。
【０１０２】
なお、補助扁平管（34,64）を流れる冷媒の圧力は、膨張弁（24）の上流側の冷媒圧力と分流器（150）の下流側の冷媒圧力との間の中間圧力となっている。したがって、膨張弁（24）および分流器（150）における減圧量を調節することにより、補助扁平管（34,64）における冷媒圧力を調節することが可能である。例えば、膨張弁（24）の開度を調節することによって補助扁平管（34,64）における冷媒圧力を所望値に設定することができる。
【０１０３】
〈室外熱交換器における冷媒の流れ／凝縮器の場合〉
次に、冷房運転中における室外熱交換器（23）での冷媒の流れについて説明する。空気調和機（10）の冷房運転中には、室外熱交換器（23）が凝縮器として機能する。室外熱交換器（23）には、圧縮機（21）から吐出されたガス冷媒が、配管（18）を通じて供給される。図４に示すように、配管（18）からガス側接続管（102）へ供給された冷媒は、風上主列部（51）を構成する扁平管（31）と、風下主列部（91）を構成する扁平管（61）と、風下副列部（94）を構成する扁平管（61）と、風上副列部（54）を構成する扁平管（31）と、分流器（150）と、風下補助熱交換部（69a）の補助扁平管（64）（すなわち、補助伝熱管（63））と、風上補助熱交換部（39a）の補助扁平管（34）（すなわち、補助伝熱管（33））とを順に通過し、液側接続管（101）を通って配管（17）へ流出してゆく。以下、室外熱交換器（23）の各部における冷媒の流れを詳しく説明する。
【０１０４】
図５に示すように、ガス側接続管（102）から第１風上ヘッダ集合管（40）の上側空間（42）へ流入したガス単相状態の冷媒は、風上主列ブロック（52a〜52f）を構成する扁平管（31）へ分かれて流入する。風上主列ブロック（52a〜52f）の扁平管（31）を流れる冷媒は、室外熱交換器（23）へ供給された室外空気と熱交換する。
【０１０５】
図８(Ａ)および図８(Ｂ)に示すように、風上主列ブロック（52a〜52f）の各扁平管（31）と風下主列ブロック（92a〜92f）の各扁平管（61）とは、連結管（105）を介して一本ずつ個別に接続されている。したがって、風上主列ブロック（52a〜52f）の各扁平管（31）を通過した冷媒は、第２風上ヘッダ集合管（45）の連結用空間（47）と連結管（105）と第２風下ヘッダ集合管（80）の連結用空間（82）とを順に通って、風下主列ブロック（92a〜92f）の各扁平管（61）へ流入する。
【０１０６】
図６に示すように、風下主列ブロック（92a〜92f）の扁平管（61）を流れる冷媒は、風上主熱交換領域（35）を通過した室外空気と熱交換する。各風下主列ブロック（92a〜92f）の十二本の扁平管（61）を通過した冷媒は、各風下主列ブロック（92a〜92f）に対応する第１風下ヘッダ集合管（70）の主連通空間（75a〜75f）へ入って合流する。
【０１０７】
第１主連通空間（75a）および第２主連通空間（75b）の冷媒は、第１接続用配管（110）を通って第１副連通空間（77a）へ流入する。第３主連通空間（75c）および第４主連通空間（75d）の冷媒は、第２接続用配管（120）を通って第２副連通空間（77b）へ流入する。第５主連通空間（75e）および第６主連通空間（75f）の冷媒は、第３接続用配管（130）を通って第３副連通空間（77c）へ流入する。
【０１０８】
第１風下ヘッダ集合管（70）の各補助連通空間（77a〜77c）へ流入した冷媒は、各補助連通空間（77a〜77c）に対応する風下副列ブロック（95a〜95c）の三本の扁平管（61）へ分かれて流入する。風下副列ブロック（95a〜95c）の扁平管（61）を流れる冷媒は、風上副熱交換領域（37）を通過した室外空気と熱交換する。
【０１０９】
図８(Ａ)および図８(Ｂ)に示すように、風上副列ブロック（55a〜55c）の各扁平管（31）と風下副列ブロック（95a〜95c）の各扁平管（61）とは、連結管（105）を介して一本ずつ個別に接続されている。したがって、風下副列ブロック（95a〜95c）の各扁平管（61）を通過した冷媒は、第２風下ヘッダ集合管（80）の連結用空間（82）と連結管（105）と第２風上ヘッダ集合管（45）の連結用空間（47）とを順に通って、風上副列ブロック（55a〜55c）の各扁平管（31）へ流入する。
【０１１０】
図５に示すように、風上副列ブロック（55a〜55c）の扁平管（31）を流れる冷媒は、室外熱交換器（23）へ供給された室外空気と熱交換する。各風上副列ブロック（55a〜55c）の扁平管（31）を通過した冷媒は、各風上副列ブロック（55a〜55c）に対応する連通室（151〜153）へ入って合流する。連通室（151〜153）の冷媒は、混合室（154）へ入って合流し、その後に、ユニット接続用配管（103）を通って第１風下ヘッダ集合管（70）の下側空間（78）に流入する。
【０１１１】
図６に示すように、第１風下ヘッダ集合管（70）の下側空間（78）へ流入した冷媒は、風下補助熱交換部（69a）の補助扁平管（64）へ流入する。風下補助熱交換部（69a）の補助扁平管（64）を流れる冷媒は、風上補助熱交換領域（39）を通過した空気と室外空気と熱交換する。
【０１１２】
図８(Ａ)および図８(Ｂ)に示すように、風上補助熱交換部（39a）の補助扁平管（34）と風下補助熱交換部（69a）の補助扁平管（64）とは、連結管（105）を介して互いに接続されている。したがって、風下補助熱交換部（69a）の補助扁平管（64）を通過した冷媒は、第２風下ヘッダ集合管（80）の連結用空間（82）と連結管（105）と第２風上ヘッダ集合管（45）の連結用空間（47）を順に通って、風上補助熱交換部（39a）の補助扁平管（34）へ流入する。
【０１１３】
図５に示すように、風上補助熱交換部（39a）の補助扁平管（34）を流れる冷媒は、室外熱交換器（23）へ供給された室外空気と熱交換する。風上補助熱交換部（39a）の補助扁平管（34）を通過した冷媒は、第１風上ヘッダ集合管（40）の下側空間（44）へ流入し、その後、液側接続管（101）を通って室外熱交換器（23）から流出してゆく。
【０１１４】
〈補助熱交換部における冷媒の作用／凝縮器の場合〉
上述のように、風上副列ブロック（55a〜55c）の扁平管（31）を通過した冷媒（過冷却が付与された液冷媒）は、分流器（150）に流入して減圧された後に、ユニット接続用配管（103）と第１風下ヘッダ集合管（70）の下側空間（78）を順に通って、風下補助熱交換部（69a）の補助扁平管（64）へ流入する。ここで、分流器（150）を通過して補助扁平管（64）へ流入する冷媒は、液状態となっているので、分流器（150）において圧力が低下しても温度の低下は少ない。すなわち、補助扁平管（64）を流れる冷媒は、比較的高温となっている。したがって、補助扁平管（64）を流れる冷媒によって風下補助熱交換部（69a）（すなわち、室外熱交換器（23）の最下部）が加熱されることになる。
【０１１５】
これと同様に、風上補助熱交換部（39a）の補助扁平管（34）を流れる冷媒も、比較的高温となっているので、補助扁平管（34）を流れる冷媒によって風上補助熱交換部（39a）（すなわち、室外熱交換器（23）の最下部）が加熱されることになる。
【０１１６】
なお、補助扁平管（34,64）を流れる冷媒の温度は、風上主熱交換領域（35）および風下主熱交換領域（65）における冷媒の凝縮温度に依存している。すなわち、風上主熱交換領域（35）および風下主熱交換領域（65）における冷媒の凝縮温度が高くなるほど、補助扁平管（34,64）を流れる冷媒の温度も高くなる。したがって、冷媒の凝縮温度を調節することにより、補助扁平管（34,64）における冷媒温度を調節することが可能である。例えば、圧縮機（21）の回転数を調節することによって補助扁平管（34,64）における冷媒温度を所望値に設定することができる。
【０１１７】
〈実施形態１による効果〉
以上のように、室外熱交換器（23）が蒸発器として機能している場合（例えば、暖房運転）において、風上補助熱交換部（39a）および風下熱交換部（69a）の補助扁平管（34,64）（すなわち、補助伝熱管（33,63））に比較的高温の冷媒を流して、室外熱交換器（23）の最下部（具体的には、風上補助熱交換部（39a）および風下熱交換部（69a））を加熱することにより、室外熱交換器（23）の着霜を防止することができる。
【０１１８】
また、室外熱交換器（23）が凝縮器として機能している場合（例えば、除霜運転）において、風上補助熱交換部（39a）および風下熱交換部（69a）の補助扁平管（34,64）（すなわち、補助伝熱管（33,63））に比較的高温の冷媒を流して、室外熱交換器（23）の最下部（具体的には、風上補助熱交換部（39a）および風下熱交換部（69a））を加熱することにより、除霜運転において発生したドレン水（霜の溶融によって発生したドレン水）が室外熱交換器（23）の下部において凍結することを防止することができる。
【０１１９】
また、風上補助熱交換部（39a）の補助伝熱管（33）の流路断面積を、風上管列（50）を構成する扁平管（31）の流路断面積よりも広くすることにより、補助伝熱管（33）の流路抵抗を扁平管（31）の流路抵抗よりも低くすることができる。これにより、補助伝熱管（33）を扁平管（31）と同一形状に形成する場合よりも、補助伝熱管（33）における圧力損失を低減することができ、分流器（150）の上流側における圧力損失を抑制するために必要となる補助伝熱管（33）の本数を少なくすることができる。すなわち、風上熱交換器ユニット（30）における風上補助熱交換部（39a）の専有面積を狭くすることができるので、風上管列（50）を構成する扁平管（31）の本数を確保することができる。
【０１２０】
これと同様に、風下補助熱交換部（69a）の補助伝熱管（63）の流路断面積を、風下管列（90）を構成する扁平管（61）の流路断面積よりも広くすることにより、補助伝熱管（63）を扁平管（31）と同一形状に形成する場合よりも、補助伝熱管（63）における圧力損失を低減することができ、分流器（150）の上流側における圧力損失を抑制するために必要となる補助伝熱管（63）の本数を少なくすることができる。
【０１２１】
以上のように、分流器（150）の上流側における圧力損失を抑制するために必要となる補助伝熱管（33,64）の本数を少なくすることができるので、分流器（150）の上流側における圧力損失を抑制しつつ熱交換器（23）の熱交換効率を確保することができる。
【０１２２】
また、風上管列（50）を構成する扁平管（31）と同様の構成を有する補助扁平管（34）によって風上補助熱交換部（39a）の補助伝熱管（33）を構成することにより、扁平管（31）と同様の方式によって補助伝熱管（33）をフィン（32）と接合させることができる。これと同様に、風下管列（90）を構成する扁平管（61）と同様の構成を有する補助扁平管（64）によって風下補助熱交換部（69a）の補助伝熱管（63）を構成することにより、扁平管（31）と同様の方式によって補助伝熱管（63）をフィン（62）と接合させることができる。したがって、室外熱交換器（23）の組立を容易にすることができる。
【０１２３】
〔実施形態１の変形例１〕
なお、図１０および図１１に示すように、実施形態１の室外熱交換器（23）において、風上管列（50）を構成する扁平管（31）と風下管列（90）を構成する扁平管（61）とを一本ずつ個別に接続せずに、列ブロック単位で纏めて接続してもよい。
【０１２４】
〈第２風上ヘッダ集合管〉
図１０に示した第２風上ヘッダ集合管（45）には、九枚の仕切板（46）が設けられている。第２風上ヘッダ集合管（45）において、仕切板（46）は、風上補助熱交換部（39a）と第１風上副熱交換部（38a）の境界と、第１風上副熱交換部（38a）と第２風上副熱交換部（38b）の境界と、第２風上副熱交換部（38b）と第３風上副熱交換部（38c）の境界と、第３風上副熱交換部（38c）と第１風上主熱交換部（36a）の境界と、第１風上主熱交換部（36a）と第２風上主熱交換部（36b）の境界と、第２風上主熱交換部（36b）と第３風上主熱交換部（36c）の境界と、第３風上主熱交換部（36c）と第４風上主熱交換部（36d）の境界と、第４風上主熱交換部（36d）と第５風上主熱交換部（36e）の境界と、第５風上主熱交換部（36e）と第６風上主熱交換部（36f）の境界とに、一枚ずつ配置されている。
【０１２５】
第２風上ヘッダ集合管（45）の内部空間は、九枚の仕切板（46）によって、一つの補助連結空間（47a）と三つの副連結空間（49a〜49c）と六つの主連結空間（48a〜48f）とに仕切られる。
【０１２６】
補助連結空間（47a）は、風上補助熱交換部（39a）の補助扁平管（34）と連通する。
【０１２７】
第１副連結空間（49a）は、第１風上副列ブロック（55a）を構成する全ての扁平管（31）と連通する。第２副連結空間（49b）は、第２風上副列ブロック（55b）を構成する全ての扁平管（31）と連通する。第３副連結空間（49c）は、第３風上副列ブロック（55c）を構成する全ての扁平管（31）と連通する。
【０１２８】
第１主連結空間（48a）は、第１風上主列ブロック（52a）を構成する全ての扁平管（31）と連通する。第２主連結空間（48b）は、第２風上主列ブロック（52b）を構成する全ての扁平管（31）と連通する。第３主連結空間（48c）は、第３風上主列ブロック（52c）を構成する全ての扁平管（31）と連通する。第４主連結空間（48d）は、第４風上主列ブロック（52d）を構成する全ての扁平管（31）と連通する。第５主連結空間（48e）は、第５風上主列ブロック（52e）を構成する全ての扁平管（31）と連通する。第６主連結空間（48f）は、第６風上主列ブロック（52f）を構成する全ての扁平管（31）と連通する。
【０１２９】
〈第２風下ヘッダ集合管〉
図１３に示した第２風下ヘッダ集合管（80）には、九枚の仕切板（81）が設けられている。第２風下ヘッダ集合管（80）において、仕切板（46）は、風下補助熱交換部（69a）と第１風下副熱交換部（68a）の境界と、第１風下副熱交換部（68a）と第２風下副熱交換部（68b）の境界と、第２風下副熱交換部（68b）と第３風下副熱交換部（68c）の境界と、第３風下副熱交換部（68c）と第１風下主熱交換部（66a）の境界と、第１風下主熱交換部（66a）と第２風下主熱交換部（66b）の境界と、第２風下主熱交換部（66b）と第３風下主熱交換部（66c）の境界と、第３風下主熱交換部（66c）と第４風下主熱交換部（66d）の境界と、第４風下主熱交換部（66d）と第５風下主熱交換部（66e）の境界と、第５風下主熱交換部（66e）と第６風下主熱交換部（66f）の境界とに、一枚ずつ配置されている。
【０１３０】
第２風下ヘッダ集合管（80）の内部空間は、九枚の仕切板（81）によって、一つの補助連結空間（82a）と三つの副連結空間（84a〜84c）と六つの主連結空間（83a〜83f）とに仕切られる。
【０１３１】
補助連結空間（82a）は、風下補助熱交換部（69a）の補助扁平管（64）と連通する。
【０１３２】
第１副連結空間（84a）は、第１風下副列ブロック（95a）を構成する全ての扁平管（61）と連通する。第２副連結空間（84b）は、第２風下副列ブロック（95b）を構成する全ての扁平管（61）と連通する。第３副連結空間（84c）は、第３風下副列ブロック（95c）を構成する全ての扁平管（61）と連通する。
【０１３３】
第１主連結空間（83a）は、第１風下主列ブロック（92a）を構成する全ての扁平管（61）と連通する。第２主連結空間（83b）は、第２風下主列ブロック（92ｂ）を構成する全ての扁平管（61）と連通する。第３主連結空間（83c）は、第３風下主列ブロック（92c）を構成する全ての扁平管（61）と連通する。第４主連結空間（83d）は、第４風下主列ブロック（92d）を構成する全ての扁平管（61）と連通する。第５主連結空間（83e）は、第５風下主列ブロック（92e）を構成する全ての扁平管（61）と連通する。第６主連結空間（83f）は、第６風下主列ブロック（92f）を構成する全ての扁平管（61）と連通する。
【０１３４】
〈連結管〉
なお、図示しないが、第２風上ヘッダ集合管（45）の各主連結空間（48a〜48f）と第２風下ヘッダ集合管（80）の各主連結空間（83a〜83f）は、一つずつ連結管（105）を介して接続され、第２風上ヘッダ集合管（45）の各副連結空間（49a〜49c）と第２風下ヘッダ集合管（80）の各副連結空間（84a〜84c）は、一つずつ連結管（105）を介して接続され、第２風上ヘッダ集合管（45）の補助連結空間（47a）と第２風下ヘッダ集合管（80）の補助連結空間（82a）は、一つの連結管（105）を介して接続されている。
【０１３５】
図１０および図１１に示した構成を有する室外熱交換器（23）が蒸発器として機能する場合、風上補助熱交換部（39a）の補助扁平管（34）を通過した冷媒は、第２風上ヘッダ集合管（45）の補助連結空間（47a）と連結管（105）と第２風下ヘッダ集合管（80）の補助連結空間（82a）と順に通過し、補助連結空間（82a）に対応する風下補助熱交換部（69a）の補助扁平管（64）へ流入する。また、各風上副列ブロック（55a〜55c）の扁平管（31）を通過した冷媒は、各風上副列ブロック（55a〜55c）に対応する第２風上ヘッダ集合管（45）の副連結空間（49a〜49c）と連結管（105）と第２風下ヘッダ集合管（80）の副連結空間（84a〜84c）とを順に通過し、各副連結空間（84a〜84c）に対応する風下副列ブロック（95a〜95c）の扁平管（61）へ流入する。また、各風下主列ブロック（92a〜92f）の扁平管（61）を通過した冷媒は、各風下主列ブロック（92a〜92f）に対応する第２風下ヘッダ集合管（80）の主連結空間（83a〜83f）と連結管（105）と第２風上ヘッダ集合管（45）の主連結空間（48a〜48f）とを順に通過し、各主連結空間（48a〜48f）に対応する風上主列ブロック（52a〜52f）の扁平管（31）へ流入する。
【０１３６】
一方、図１０および図１１に示した構成を有する室外熱交換器（23）が凝縮器として機能する場合、風上主列ブロック（52a〜52f）の扁平管（31）を通過した冷媒は、各風上主列ブロック（52a〜52f）に対応する第２風上ヘッダ集合管（45）の主連結空間（48a〜48f）と連結管（105）と第２風下ヘッダ集合管（80）の主連結空間（83a〜83f）とを順に通過し、各主連結空間（83a〜83f）に対応する各風下主列ブロック（92a〜92f）の扁平管（61）へ流入する。また、風下副列ブロック（95a〜95c）の扁平管（61）を通過した冷媒は、各風下副列ブロック（95a〜95c）に対応する第２風下ヘッダ集合管（80）の副連結空間（84a〜84c）と連結管（105）と第２風上ヘッダ集合管（45）の副連結空間（49a〜49c）とを順に通過し、各副連結空間（49a〜49c）に対応する各風上副列ブロック（55a〜55c）の扁平管（31）へ流入する。また、風下補助熱交換部（69a）の補助扁平管（64）を通過した冷媒は、第２風下ヘッダ集合管（80）の補助連結空間（82a）と連結管（105）と第２風上ヘッダ集合管（45）の補助連結空間（47a）と順に通過し、補助連結空間（47a）に対応する風上補助熱交換部（39a）の補助扁平管（34）へ流入する。
【０１３７】
〔実施形態１の変形例２〕
また、図１２および図１３に示すように、実施形態１の室外熱交換器（23）において、第２風上ヘッダ集合管（45）および第２風下ヘッダ集合管（80）を省略して、風上管列（50）を構成する扁平管（31）と風下管列（90）を構成する扁平管（61）とを一体化するとともに風上補助熱交換部（39a）の補助扁平管（34）と風下補助熱交換部（69a）の補助扁平管（64）とを一体化してもよい。
【０１３８】
図１２および図１３に示した室外熱交換器（23）では、Ｕ字状に屈曲した多数の扁平管（170）が上下に配列されている。各扁平管（170）は、真っ直ぐな扁平管をＵ字状に屈曲させたものであって、二つの直管部（171,172）と、二つの直管部（171,172）を繋ぐ一つの曲管部（173）とによって構成されている。各扁平管（170）において、二つの直管部（171,172）は、互いに実質的に平行となっている。
【０１３９】
図１２および図１３に示した室外熱交換器（23）において、上下に隣り合う扁平管（170）は、それぞれの直管部（171,172）の側面のうち平坦な部分（平坦部）が互いに向かい合い、それぞれの直管部（171,172）の軸方向が互いに実質的に平行となっている。また、各扁平管（170）は、第１の直管部（171）の開口端が第１風上ヘッダ集合管（40）に接続し、第２の直管部（172）の開口端が第１風下ヘッダ集合管（70）に接続する。そして、この例では、各扁平管（170）の第１の直管部（171）が風上管列（50）を構成し、各扁平管（170）の第２の直管部（172）が風下管列（90）を構成する。つまり、扁平管（170）の第１の直管部（171）は、実施形態１の風上管列（50）を構成する扁平管（31）に相当し、扁平管（170）の第２の直管部（172）は、実施形態１の風下管列（90）を構成する扁平管（61）に相当する。また、図１２および図１３に示した室外熱交換器（23）に設けられた各扁平管（170）では、二つの直管部（171,172）が一つの曲管部（173）を介して接続されている。したがって、この例では、実施形態１の室外熱交換器（23）と同様に、風上管列（50）を構成する扁平管と風下管列（90）を構成する扁平管が一本ずつ互いに接続されていることになる。
【０１４０】
また、図１２および図１３に示した室外熱交換器（23）では、上下に配列された多数の扁平管（170）によって構成された扁平管列の下方に、Ｕ字状に屈曲した補助扁平管（190）が配置されている。補助扁平管（190）は、真っ直ぐな扁平管をＵ字状に屈曲させたものであって、二つの直管部（191,192）と、二つの直管部（191,192）を繋ぐ一つの曲管部（193）とによって構成されている。補助扁平管（190）において、二つの直管部（191,192）は、互いに実質的に平行となっている。
【０１４１】
図１２および図１３に示した室外熱交換器（23）において、補助扁平管（190）は、その直管部（191,192）の側面のうち平坦な部分（平坦部）が多数の扁平管（170）のうち最下段に位置する扁平管（170）の直管部（171,172）の平坦部と所定の間隔をおいて対向し、その直管部（191,192）の軸方向が扁平管（170）の直管部（171,172）の軸方向と実質的に平行となっている。また、補助扁平管（190）は、第１の直管部（191）の開口端が第１風上ヘッダ集合管（40）に接続し、第２の直管部（192）の開口端が第１風下ヘッダ集合管（70）に接続する。すなわち、この例では、補助扁平管（190）の第１の直管部（191）は、実施形態１の風上補助熱交換部（39a）の補助扁平管（34）に相当し、補助扁平管（190）の第２の直管部（192）は、実施形態１の風下補助熱交換部（69a）の補助扁平管（64）に相当する。
【０１４２】
〔実施形態１の変形例３〕
また、図１４に示すように、実施形態１の室外熱交換器（23）において、風上管列（50）を構成する扁平管（31）と風下管列（90）を構成する扁平管（61）の両方が一枚のフィン（180）に接合されていてもよい。つまり、この例では、扁平管（31,61）の軸方向に一定の間隔をおいて配列された各フィン（180）の管挿入部（187）に、風上管列（50）を構成する扁平管（31）と風下管列（90）を構成する扁平管（61）の両方が配置され、各フィン（180）の最下段に位置する管挿入部（187）に、風上補助熱交換部（39a）の補助扁平管（34）と風下補助熱交換部（69a）の補助扁平管（64）の両方が配置される。
【０１４３】
また、実施形態１の室外熱交換器（23）には、板状のフィン（32,62,180）に代えて波形のフィンが設けられていてもよい。このフィンは、いわゆるコルゲートフィンであって、上下に蛇行する波形に形成されている。そして、この波形のフィンは、上下に隣り合った扁平管（31,61,170）の間に一つずつ配置される。
【０１４４】
〔実施形態２〕
図１５〜図１８は、実施形態２による室外熱交換器（23）の構成例を示している。実施形態２による室外熱交換器（23）には、補助扁平管（34,64）に代えて補助円管（200）が補助伝熱管（33,63）として設けられている。そして、補助扁平管（34）と連通する第１風上ヘッダ集合管（40）の下側空間（44）および第２風上ヘッダ集合管（45）の連結用空間（47）が省略され、補助扁平管（64）と連通する第１風下ヘッダ集合管（70）の下側空間（78）および第２風下ヘッダ集合管（80）の連結用空間（82）が省略されている。その他の構成は、実施形態１による室外熱交換器（23）の構成と同様である。
【０１４５】
補助円管（200）は、真っ直ぐな円管をＵ字状に屈曲させたものであって、二つの直管部（201,202）と、二つの直管部（201,202）を繋ぐ一つの曲管部（203）とによって構成されている。補助円管（200）において、二つの直管部（201,202）は、互いに実質的に平行となっている。
【０１４６】
図１６および図１７に示すように、補助円管（200）の直管部（201,202）は、その軸方向が左右方向となり、風上管列（50）を構成する扁平管（31）（具体的には、最下段に位置する扁平管（31））および風下管列（90）を構成する扁平管（61）（具体的には、最下段に位置する扁平管（61））と所定の間隔をおいて対向している。補助円管（200）の直管部（201,202）の軸方向は、風上管列（50）を構成する扁平管（31）および風下管列（90）を構成する扁平管（61）の軸方向と実質的に平行となっている。
【０１４７】
図１６および図１７に示すように、補助円管（200）は、第１の直管部（201）の開口端（図１６では、左端）が液側接続管（101）に接続され、第２の直管部（202）の開口端（図１７では、左端）がユニット接続用配管（103）の他端に接続されている。すなわち、この例では、風上補助熱交換部（39a）の補助伝熱管（33）は、補助円管（200）の第１の直管部（201）によって構成され、風下補助熱交換部（69a）の補助伝熱管（63）は、補助円管（200）の第２の直管部（202）によって構成されている。
【０１４８】
図１８に示すように、補助円管（200）の第１の直管部（201）は、フィン（32）の最下段部を貫通し、補助円管（200）の第２の直管部（202）は、フィン（62）の最下段部を貫通している。また、補助円管（200）の流路断面積は、風上管列（50）を構成する扁平管（31）の流路断面積および風下管列（90）を構成する扁平管（61）の流路断面積よりも広くなっている。具体的には、補助円管（200）の第１の直管部（201）の流路断面積は、扁平管（31）に形成された流体通路（175）の流路断面積の合計よりも広く、補助円管（200）の第２の直管部（202）の流路断面積は、扁平管（31）に形成された流体通路（175）の流路断面積の合計よりも広くなっている。
【０１４９】
風上熱交換器ユニット（30）へ供給された冷媒は、扁平管（31）の流体通路（175）および補助円管（200）の第１の直管部（201）の内部を流れる間に空気と熱交換し、風下熱交換器ユニット（60）へ供給された冷媒は、扁平管（61）の流体通路（175）および補助円管（200）の第２の直管部（202）の内部を流れる間に空気と熱交換する。
【０１５０】
〈実施形態２による効果〉
以上のように、補助円管（200）によって風上補助熱交換部（39a）の補助伝熱管（33）および風下補助熱交換部（69a）の補助伝熱管（63）を構成することにより、補助伝熱管（33,63）の流路断面積の設計を容易することができる。これにより、扁平管（31,61）の流路断面積よりも広い流路断面積を有する補助伝熱管（33,63）を容易に製造することができる。
【０１５１】
なお、補助円管（200）の直管部（201,202）および曲管部（203）は、それぞれ別の部材によって構成されていてもよい。例えば、直管部（201,202）に相当する二本の直円管と曲管部（203）に相当するＵ字管とを接合することによって、補助円管（200）が構成されていてもよい。
【０１５２】
〔実施形態２の変形例〕
なお、実施形態２の室外熱交換器（23）において、風上管列（50）を構成する扁平管（31）と風下管列（90）を構成する扁平管（61）とを一本ずつ個別に接続せずに、列ブロック単位で纏めて接続してもよい（図１０および図１１を参照）。
【０１５３】
また、実施形態２の室外熱交換器（23）において、第２風上ヘッダ集合管（45）および第２風下ヘッダ集合管（80）を省略して、風上管列（50）を構成する扁平管（31）と風下管列（90）を構成する扁平管（61）とを一体化するとともに風上補助熱交換部（39a）の補助扁平管（34）と風下補助熱交換部（69a）の補助扁平管（64）とを一体化してもよい（図１２および図１３を参照）。
【０１５４】
また、実施形態２の室外熱交換器（23）において、風上管列（50）を構成する扁平管（31）と風下管列（90）を構成する扁平管（61）の両方が一枚のフィン（180）に接合されていてもよい（図１４を参照）。この場合、補助円管（200）の直管部（201,202）は、各フィン（180）の最下段部を貫通することになる。
【０１５５】
〔その他の実施形態〕
以上の実施形態において、風上補助熱交換部（39a）に一本の補助伝熱管（33）が設けられている場合を例に挙げて説明したが、風上補助熱交換部（39a）に設けられる補助伝熱管（33）の本数は、２本以上であってもよい。例えば、実施形態１の室外熱交換器（23）において、風上補助熱交換部（39a）に複数の補助扁平管（34）を設けてもよい。この場合、各補助扁平管（34）は、その一端が第１風上ヘッダ集合管（40）の下側空間（44）と連通し、その他端が第２風上ヘッダ集合管（45）の最下段に位置する連結用空間（47）と連通する。なお、風上管列（50）を構成する扁平管（31）の本数（すなわち、風上熱交換器ユニット（30）の主要部を構成する扁平管の本数）の確保を容易にするために、風上補助熱交換部（39a）に設けられる補助伝熱管（33）の本数は、風上副列部（54）を構成する扁平管（31）の本数よりも少なくなっていることが望ましい。風下補助熱交換部（69a）に設けられる補助伝熱管（63）についても同様である。
【０１５６】
また、風上熱交換器ユニット（30）の補助熱交換領域（39）の上側の熱交換領域が風上主熱交換領域（35）と風上副熱交換領域（37）とに区分されている場合を例に挙げて説明したが、補助熱交換領域（39）の上側の熱交換領域は、二つの熱交換領域（35,37）に区分されていなくてもよい。すなわち、風上管列（50）は、風上主列部（51）と風上副列部（54）とに区分されていなくてもよい。風下熱交換器ユニット（60）および風下管列（90）についても同様である。例えば、風上管列（50）と構成する扁平管（31）と、風上補助熱交換部（39a）の補助伝熱管（33）と、分流器（150）と、風下管列（90）を構成する扁平管（61）と、風下補助熱交換部（69a）の補助伝熱管（63）とは、次のように接続されていてもよい。すなわち、室外熱交換器（23）が蒸発器として機能する場合に、配管（17）から液側接続管（101）へ供給された冷媒（すなわち、膨張弁（24）から供給された気液二相状態の冷媒）が、風上補助熱交換部（39a）の補助伝熱管（33），風下補助熱交換部（69a）の補助伝熱管（63），分流器（150），風下管列（90）の扁平管（61），風上管列（50）の扁平管（31）を順に通過し、ガス側接続管（102）を通って配管（18）へ流出してゆき、室外熱交換器（23）が凝縮器として機能する場合に、配管（18）からガス側接続管（102）へ供給された冷媒（すなわち、圧縮機（21）から吐出されたガス冷媒）が、風上管列（50）の扁平管（31），風下管列（90）の扁平管（61），分流器（150），風下補助熱交換部（69a）の補助伝熱管（63），風上補助熱交換部（39a）の補助伝熱管（33）を順に通過し、液側接続管（101）を通って配管（17）へ流出してゆくように、各管が互いに接続されていてもよい。
【０１５７】
また、室外熱交換器（23）が二列構造の空気熱交換器である場合を例に挙げて説明したが、室外熱交換器（23）は、一列構造の空気熱交換器であってもよい。例えば、一つの風上熱交換器ユニット（30）によって室外熱交換器（23）を構成してもよい。この場合、風上管列（50）を構成する扁平管（31）と分流器（150）と風上補助熱交換部（39a）の補助伝熱管（33）は、次のように接続される。すなわち、室外熱交換器（23）が蒸発器として機能する場合に、配管（17）から液側接続管（101）へ供給された冷媒（すなわち、膨張弁（24）から供給された気液二相状態の冷媒）が、風上補助熱交換部（39a）の補助伝熱管（33），分流器（150），風上副列部（54）の扁平管（31），風上主列部（51）の扁平管（31）を順に通過し、ガス側接続管（102）を通って配管（18）へ流出してゆき、室外熱交換器（23）が凝縮器として機能する場合に、配管（18）からガス側接続管（102）へ供給された冷媒（すなわち、圧縮機（21）から吐出されたガス冷媒）が、風上主列部（51）の扁平管（31），風上副列部（54）の扁平管（31），分流器（150），風上補助熱交換部（39a）の補助伝熱管（33）を順に通過し、液側接続管（101）を通って配管（17）へ流出してゆくように、各管が接続される。
【０１５８】
また、第１風上ヘッダ集合管（40）内に分流器（150）が形成されている場合を例に挙げて説明したが、分流器（150）は、第１風上ヘッダ集合管（40）の外部に設けられていてもよい。
【産業上の利用可能性】
【０１５９】
以上説明したように、上述の熱交換器は、空気調和機の冷媒回路に設けられる熱交換器などとして有用である。
【符号の説明】
【０１６０】
１０        空気調和機
２３        室外熱交換器
３０        風上熱交換器ユニット
３１        扁平管（多穴扁平管）
３２        フィン
３３        補助伝熱管
３４        補助扁平管（補助多穴扁平管）
３５        風上主熱交換領域
３７        風上副熱交換領域
３９        風上補助熱交換領域
３９ａ      補助熱交換部
５０        風上管列
６０        風下熱交換器ユニット
６１        扁平管（多穴扁平管）
６２        フィン
６３        補助伝熱管
６４        補助扁平管（補助多穴扁平管）
６５        風下主熱交換領域
６７        風下副熱交換領域
６９        風下補助熱交換領域
６９ａ      風下補助熱交換部
９０        風下管列
１５０      分流器
２００      補助円管
【図１】
2015055415.tif 000003
【図２】
2015055415.tif 000004
【図３】
2015055415.tif 000005
【図４】
2015055415.tif 000006
【図５】
2015055415.tif 000007
【図６】
2015055415.tif 000008
【図７】
2015055415.tif 000009
【図８】
2015055415.tif 000010
【図９】
2015055415.tif 000011
【図１０】
2015055415.tif 000012
【図１１】
2015055415.tif 000013
【図１２】
2015055415.tif 000014
【図１３】
2015055415.tif 000015
【図１４】
2015055415.tif 000016
【図１５】
2015055415.tif 000017
【図１６】
2015055415.tif 000018
【図１７】
2015055415.tif 000019
【図１８】
2015055415.tif 000020